(57)【特許請求の範囲】
【請求項１】
薬剤を小分けして供給できる薬剤供給装置において、
薬剤を供給可能な定位置と、前記定位置からずれた引き出し位置との間で移動可能に設けられ、薬剤を前記小分けした状態で一時的に留めておくことのできるカセットユニットと、
前記カセットユニットが定位置にある場合に、このカセットユニットを上方から覆う閉じ位置と、カセットユニットが露出した開き位置との間で移動可能に設けられたカバーと、
前記カセットユニットとカバーとの動作を関連付ける関連付け機構とを備え、
前記関連付け機構は、前記カセットユニットが引き出し位置にある場合に前記カバーを閉じ位置で保つようにカバーの動作を規制することを特徴とする薬剤供給装置。
【請求項２】
薬剤を小分けして供給できる薬剤供給装置において、
薬剤を供給可能な定位置と、前記定位置からずれた引き出し位置との間で移動可能に設けられ、薬剤を前記小分けした状態で一時的に留めておくことのできるカセットユニットと、
前記カセットユニットが定位置にある場合に、このカセットユニットを上方から覆う閉じ位置と、カセットユニットが露出した開き位置との間で移動可能に設けられたカバーと、
前記カセットユニットとカバーとの動作を関連付ける関連付け機構とを備え、
前記関連付け機構は、前記カバーが前記開き位置にある場合に前記カセットユニットを定位置で保つようにカセットユニットの動作を規制することを特徴とする薬剤供給装置。
【請求項３】
薬剤を小分けして供給できる薬剤供給装置において、
薬剤を供給可能な定位置と、前記定位置からずれた引き出し位置との間で移動可能に設けられ、薬剤を前記小分けした状態で一時的に留めておくことのできるカセットユニットと、
前記カセットユニットが定位置にある場合に、このカセットユニットを上方から覆う閉じ位置と、カセットユニットが露出した開き位置との間で移動可能に設けられたカバーと、
前記カセットユニットとカバーとの動作を関連付ける関連付け機構とを備え、
前記関連付け機構は、前記カセットユニットが引き出し位置にある場合に前記カバーを閉じ位置で保つようにカバーの動作を規制するカバー規制手段と、前記カバーが前記開き位置にある際、前記カセットユニットを定位置で保つようにカセットユニットの動作を規制するカセットユニット規制手段とを備えたことを特徴とする薬剤供給装置。
【請求項４】
前記カバー規制手段は、カバー側とカセットユニット側のうち一方に設けられた第１カバー規制部材と、同他方に設けられた第２カバー規制部材とを備え、
前記第１カバー規制部材は引掛部を有し、
前記第２カバー規制部材は、前記引掛部に対して引っ掛かることのできる部分である被引掛部と、前記被引掛部が設けられていない部分である開放部とを有し、
前記カバー規制手段は、前記カセットユニットが少なくとも引き出し位置にある場合に、前記引掛部と前記被引掛部とが引っ掛かることで前記カバーが開き位置へと移動することを規制し、
前記カバー規制手段は、前記カセットユニットが定位置にある場合に、前記引掛部が前記開放部を通過することで前記カバーが開き位置へと移動することを許容することを特徴とする請求項３に記載の薬剤供給装置。
【請求項５】
前記カセットユニット規制手段は、前記カセットユニット以外の部分に設けられた第１カセットユニット規制部材とカセットユニットに設けられた第２カセットユニット規制部材とからなり、
前記第１カセットユニット規制部材は、前記カバーの開閉動作に連動するものであり、前記カバーが前記開き位置にある際に、前記カセットユニットの引き出しを規制するように前記第２カセットユニット規制部材に係合することを特徴とする請求項３に記載の薬剤供給装置。
【発明の詳細な説明】
【技術分野】
【０００１】
本発明は、薬剤を小分けして供給できる薬剤供給装置に関するものである。
【背景技術】
【０００２】
薬剤分包機等には、錠剤等の薬剤を小分けして供給できる薬剤供給装置が設けられている。例えば特許文献１に記載の「薬剤包装装置」に設けられたものが挙げられる。
【０００３】
薬剤供給装置は、特許文献１では「錠剤供給ユニット」と記載されている。この錠剤供給ユニットは、薬剤包装装置の上面側に設けられており、複数の錠剤収容枡がマトリクス状に設けられた錠剤収容部を有し、この錠剤収容部に薬剤師等の作業者が錠剤を手撒きで供給するようになっている。この際、錠剤収容枡の一つ毎に一包分の錠剤が供給される。
【０００４】
この錠剤収容枡の下方（装置内部側）には、錠剤払出部が設けられており、前記のように錠剤収容枡に供給された錠剤を自動的に取り出して（払い出して）装置内の包装ユニットに供給することができるようになっている。
【０００５】
特許文献１に記載の薬剤包装装置は、薬剤供給装置としての錠剤供給ユニットが装置の本体部分に固定されたものであった。前記のように錠剤供給ユニットは薬剤包装装置の上面側に設けられたものであるため、作業者が小柄な人である場合、背面寄りの錠剤収容枡に錠剤を供給するのに手をかなり伸ばさなければならず、作業に困難を伴う場合があった。これは、大型の薬剤包装装置で錠剤収容枡が奥行方向に多数配列されている場合に特に顕著であった。
【０００６】
そこで、本願の発明者は、薬剤供給装置の一部を正面側（作業者の立つ側）へと引き出せる構造を考え付いた。この構造は、より具体的には、特許文献１の「錠剤収容部」に相当する部分である、トップタブレットカセットユニット（以下「カセットユニット」と表記）を薬剤包装装置の本体部分に対して引き出し可能とする構造である。こうすることで、作業者とカセットユニットの距離が近くなり、作業者が小柄な人であっても作業を容易にすることができる。
【先行技術文献】
【特許文献】
【０００７】
【特許文献１】特開２０１０−１８３３５号公報
【発明の概要】
【発明が解決しようとする課題】
【０００８】
ところが、このようにカセットユニットを引き出せる構造とすると、カセットユニットを引き出した場合に元々カセットユニットがあった部分に空間ができてしまう。そのため、この空間に作業者が誤って薬剤を投入してしまったり、あるいは、異種の薬剤等の異物が薬剤包装装置の内部に混入してしまい、調剤過誤等のトラブルが起こる可能性がある。
【０００９】
そこで本発明は、カセットユニットを引き出した場合に異物が装置内部に混入すること等を防止できる薬剤供給装置を提供することを課題とする。
【課題を解決するための手段】
【００１０】
本発明は、薬剤を小分けして供給できる薬剤供給装置Ｍにおいて、薬剤を供給可能な定位置と、前記定位置からずれた引き出し位置との間で移動可能に設けられ、薬剤を前記小分けした状態で一時的に留めておくことのできるカセットユニット１と、前記カセットユニット１が定位置にある場合に、このカセットユニット１を上方から覆う閉じ位置と、カセットユニット１が露出した開き位置との間で移動可能に設けられたカバー２と、前記カセットユニット１とカバー２との動作を関連付ける関連付け機構３とを備え、前記関連付け機構３は、前記カセットユニット１が引き出し位置にある場合に前記カバー２を閉じ位置で保つようにカバー２の動作を規制することを特徴としている。
【００１１】
前記構成によると、関連付け機構３がカバー２を閉じ位置で保つようにカバー２の動作を規制するため、カセットユニット１が引き出し位置にある場合にカセットユニット１が引き出された部分にできる空間をカバー２が覆うことができる。
【００１２】
また、本発明は、薬剤を小分けして供給できる薬剤供給装置Ｍにおいて、薬剤を供給可能な定位置と、前記定位置からずれた引き出し位置との間で移動可能に設けられ、薬剤を前記小分けした状態で一時的に留めておくことのできるカセットユニット１と、前記カセットユニット１が定位置にある場合に、このカセットユニット１を上方から覆う閉じ位置と、カセットユニットが露出した開き位置との間で移動可能に設けられたカバー２と、前記カセットユニット１とカバー２との動作を関連付ける関連付け機構３とを備え、前記関連付け機構３は、前記カバー２が前記開き位置にある場合に前記カセットユニット１を定位置で保つようにカセットユニット１の動作を規制することを特徴としている。
【００１３】
前記構成によると、関連付け機構３がカセットユニット１を定位置で保つようにカセットユニット１の動作を規制するため、カバー２が開き位置にある場合にカセットユニット１が引き出されて空間ができてしまうことを防止できる。
【００１４】
また、本発明は、薬剤を小分けして供給できる薬剤供給装置Ｍにおいて、薬剤を供給可能な定位置と、前記定位置からずれた引き出し位置との間で移動可能に設けられ、薬剤を前記小分けした状態で一時的に留めておくことのできるカセットユニット１と、前記カセットユニット１が定位置にある場合に、このカセットユニット１を上方から覆う閉じ位置と、カセットユニットが露出した開き位置との間で移動可能に設けられたカバー２と、前記カセットユニット１とカバー２との動作を関連付ける関連付け機構３とを備え、前記関連付け機構３は、前記カセットユニット１が引き出し位置にある場合に前記カバー２を閉じ位置で保つようにカバー２の動作を規制するカバー規制手段３１と、前記カバー２が前記開き位置にある際、前記カセットユニット１を定位置で保つようにカセットユニット１の動作を規制するカセットユニット規制手段３２とを備えたことを特徴としている。
【００１５】
前記構成によると、カバー規制手段３１がカバー２を閉じ位置で保つようにカバー２の動作を規制するため、カセットユニット１が引き出し位置にある場合にカセットユニット１が引き出された部分にできる空間をカバー２が覆うことができ、かつ、カセットユニット規制手段３２がカセットユニット１を定位置で保つようにカセットユニット１の動作を規制するため、カバー２が開き位置にある場合にカセットユニット１が引き出されて空間ができてしまうことを防止できる。
【００１６】
そして、本発明では、前記カバー規制手段３１が、カバー側とカセットユニット側のうち一方に設けられた第１カバー規制部材３１１と、同他方に設けられた第２カバー規制部材３１２とを備え、前記第１カバー規制部材３１１は引掛部３１１ａを有し、前記第２カバー規制部材３１２は、前記引掛部３１１ａに対して引っ掛かることのできる部分である被引掛部３１２ａと、前記被引掛部３１２ａが設けられていない部分である開放部３１２ｂとを有し、前記カバー規制手段３１は、前記カセットユニット１が少なくとも引き出し位置にある場合に、前記引掛部３１１ａと前記被引掛部３１２ａとが引っ掛かることで前記カバー２が開き位置へと移動することを規制し、そして、前記カバー規制手段３１は、前記カセットユニット１が定位置にある場合に、前記引掛部３１１ａが前記開放部３１２ｂを通過することで前記カバー２が開き位置へと移動することを許容するものであることが好ましい。
【００１７】
前記好ましい構成によると、引掛部３１１ａと、被引掛部３１２ａ及び開放部３１２ｂとによりカバー規制手段３１を構成でき、比較的簡素な構成でありながら、カバー２を閉じ位置で保つようにカバー２の動作を規制及び許容できる。
【００１８】
また、本発明では、前記カセットユニット規制手段３２が、前記カセットユニット１以外の部分に設けられた第１カセットユニット規制部材３２１とカセットユニット１に設けられた第２カセットユニット規制部材３２２とからなり、前記第１カセットユニット規制部材３２１は、前記カバー２の開閉動作に連動するものであり、前記カバー２が前記開き位置にある際に、前記カセットユニット１の引き出しを規制するように前記第２カセットユニット規制部材３２２に係合するものであることが好ましい。
【００１９】
前記好ましい構成によると、第１カセットユニット規制部材３２１とこの第１カセットユニット規制部材３２１に係合する第２カセットユニット規制部材３２２とによりカセットユニット規制手段３２を構成でき、比較的簡素な構成でありながら、カセットユニット１を定位置で保つようにカセットユニット１の動作を規制できる。
【発明の効果】
【００２０】
本発明は、カセットユニットが引き出された部分にできる空間をカバーが覆うことができるため、カセットユニットを引き出した場合に異物が装置内部に混入すること等を防止できる。
【図面の簡単な説明】
【００２１】
【図１】本実施形態の薬剤供給装置が設けられた薬剤分包装置の、内部機構を省略した、正面側から見た斜視図である。
【図２】同薬剤分包装置の上部を示す斜視図で、カセットユニットが定位置にあり、カバーが閉じ位置にある状態を示す。
【図３】同薬剤分包装置の上部を示す斜視図で、カセットユニットが引き出し位置にあり、カバーが閉じ位置にある状態を示す。
【図４】同薬剤分包装置の上部を示す斜視図で、カセットユニットが定位置にあり、カバーが開き位置にある状態を示す。
【図５】本実施形態の薬剤供給装置の要部拡大斜視図であり、カセットユニットが引き出し位置にあり、カバーが閉じ位置にある状態を示す。
【図６】本実施形態の薬剤供給装置の要部拡大斜視図であり、カセットユニットが定位置にあり、カバーが閉じ位置にある状態を示す。
【図７】本実施形態の薬剤供給装置の要部拡大斜視図であり、カセットユニットが定位置にあり、カバーが開けられようとしている途中の状態を示す。
【図８】本実施形態の薬剤供給装置の要部拡大斜視図であり、カセットユニット規制手段が作動していない状態を示す。
【図９】本実施形態の薬剤供給装置の要部拡大斜視図であり、カセットユニット規制手段が作動している状態を示す。
【発明を実施するための形態】
【００２２】
次に、本発明につき、一実施形態を取り上げて説明を行う。
【００２３】
本実施形態の薬剤供給装置Ｍは薬剤を小分けして供給できるものである。この薬剤供給装置Ｍは、例えば図１に示すように、薬剤分包装置に組み込まれて用いられる。小分けの対象となる薬剤は、気体状、液状、粉状、顆粒状の各々のものを除く薬剤（ただし、カプセル内に封入されたものを除く）であって、薬剤師等の作業者が所定の分量を（例えば一包分の分量）を手に取って分けることのできる形態を有しているものである。例えば、錠剤、カプセル剤が挙げられる。
【００２４】
この薬剤供給装置Ｍは、カセットユニット１とカバー２と関連付け機構３とを備えている。カセットユニット１は、薬剤を次工程に供給可能な位置である定位置（図２及び図４参照）と、前記定位置からずれた位置である引き出し位置（図３参照）との間で移動可能に設けられている。図３に示すように、カセットユニット１の上部には、図示奥行き方向及び左右方向に並列して複数の薬剤小分け枡１１が設けられている。この薬剤小分け枡１１は上下が開放されている。カセットユニット１の下部には開閉シャッター１２が設けられており（図９参照）、薬剤小分け枡１１の下端部を開閉できる。これにより、開閉シャッター１２が閉じている場合には、薬剤小分け枡１１に薬剤を小分けした状態で一時的に留めておくことができる。開閉シャッター１２が開いている場合には、薬剤小分け枡１１から薬剤を下方に落下させることができ、カセットユニット１の下方に設けられたアンダータブレットカセット（図示しない）に薬剤を供給することができる。ちなみに、従来の薬剤供給装置と同じく、このアンダータブレットカセットの下部にもシャッターが設けられており、このシャッターを開くことで、アンダータブレットカセットの更に下方に設けられている分包装置に一包分づつ薬剤を供給することができるようになっている（図示はしていない）。カセットユニット１は作業者により引き出されるため、作業者の手を掛けやすくするために、カセットユニット１の正面側が切り欠かれ、引き手１３が設けられている。
【００２５】
カバー２は、カセットユニット１を上方から覆う閉じ位置（図２及び図３参照）と、カセットユニット１が露出した開き位置（図４参照）との間で移動可能に設けられている。本実施形態のカバー２は、１枚の板状のものであって、背面側（図示奥側）にヒンジが設けられており、閉じ位置と開き位置との間で回動できるようになっている。カバー２の正面側端部には持ち手２１が正面側に突出して設けられており、作業者はこの持ち手を持ってカバー２を回動させることができる。そして、図４に示すように、カバー２の正面寄りの内面には２箇所の爪部２２が突出しており、各爪部２２の先端は対向するように折り曲げられている。この折り曲げられた部分が、後述する関連付け機構３の引掛部３１１ａとなる。カバー２が開き位置にある場合に、薬剤師等の作業者が薬剤をカセットユニット１の薬剤小分け枡１１に、手撒きで供給することができる。
【００２６】
カバー２については、本実施形態のものに限らず、例えば、水平方向にスライドするもの、全体が上方に移動するもの、途中で折り返すことのできるヒンジが設けられており、折り畳まれて開き位置とするもの等、種々の形態で実施することができる。また、表面あるいは裏面に、図４に示すリブ２３等の補強部を設けることにより、カバー２上に物を置いても撓みにくくされていても良い。また、図４等に示すように、本実施形態のカバー２は１枚の板状体から構成されているが、重なり合う複数の板状体から構成されたもの、具体的には外側カバー片・内側カバー片の２枚、あるいは３枚以上の複数のカバー片が集合して構成されていても良い。この場合においては、複数のカバー片の間に処方箋を挟み込み、カバー片を立てた状態で、処方箋を作業者が見やすい位置で保持できるようにされていても良い。
【００２７】
なお、作業者は薬剤分包装置の正面側に立って作業をすることが多い。前記のように、カセットユニット１が定位置と引き出し位置との間で移動可能に設けられているため、カセットユニット１を引き出し位置に移動させると、作業者とカセットユニットの距離が近くなる。そのため、作業者が小柄な人であっても全ての薬剤小分け枡１１上に無理をせずに手を持っていくことができ、薬剤の手撒き作業を容易にすることができる。そして、このようにカセットユニット１が引き出し位置にある場合には、カセットユニット１の一部であるカセット本体１０を取り外すこともでき、清掃等がしやすくなっている。カセット本体１０は、図３に示すようにカセット本体１０の図示左右側に設けられた持ち手１４を持つことで容易に取り外すことができる。
【００２８】
関連付け機構３は、カセットユニット１とカバー２との動作を関連付けるものである。この関連付け機構３は、カバー規制手段３１とカセットユニット規制手段３２とを備えている。カバー規制手段３１は、カセットユニット１が引き出し位置にある場合にカバー２を閉じ位置で保つようにカバー２の動作を規制するものである。カセットユニット規制手段３２は、カバー２が開き位置にある際、カセットユニット１を定位置で保つようにカセットユニット１の動作を規制するものである。これらにより、カセットユニット１が引き出し位置にある場合にカバー２が開き位置となることで、元々カセットユニットがあった部分に空間ができ、アンダータブレットカセットが露出してしまい、薬剤供給装置Ｍの内部に異物等が混入することを防止できる。
【００２９】
なお、前記のようにカバー２を重なり合う複数の板状体で構成した場合は、関連付け機構３が動作を規制する対象を内側カバー片のみとし、外側カバー片等、内側カバー片以外のものはカセットユニット１の位置に関係なく、自由に開閉できるようにされていても良い。
【００３０】
カバー規制手段３１は、第１カバー規制部材３１１と第２カバー規制部材３１２とを備えている。本実施形態では、第１カバー規制部材３１１がカバー２に設けられ、第２カバー規制部材３１２がカセットユニット１に設けられているが、これとは逆に、第１カバー規制部材３１１がカセットユニット１に設けられ、第２カバー規制部材３１２がカバー２に設けられていても良い。
【００３１】
第１カバー規制部材３１１は引掛部３１１ａを有している。この引掛部３１１ａは、前記のように、カバー２の内面に設けられた爪部２２の先端に形成されたものである。
【００３２】
第２カバー規制部材３１２は、カセットユニット１の引き出し方向を基準として平行に設けられた被引掛部３１２ａと、被引掛部３１２ａが設けられていない部分である開放部３１２ｂとを有している。
【００３３】
被引掛部３１２ａは、引掛部３１１ａに引っ掛かることでカバー２が開き位置へと移動することを規制するものである。具体的には、カセットユニット１の図示左右側端部に、庇状に張り出した部分である（図５〜図７参照）。これにより、被引掛部３１２ａは、カセットユニット１が少なくとも引き出し位置にある場合、言い換えると、カセットユニット１が定位置にない場合に、引掛部３１１ａと被引掛部３１２ａとが引っ掛かることでカバー２が開き位置へと移動することを規制する。
【００３４】
開放部３１２ｂは、カバー２が開き位置へと移動する際に引掛部３１１ａに対する相対的な移動の支障にならない程度の空間３１２ｓが形成されている。具体的には、カセットユニット１の図示左右側端部のうち正面寄り部分にて被引掛部３１２ａが途切れた部分である。開放部３１２ｂにおいて、空間３１２ｓは上下方向に延びる空間となっている。閉じ位置から開き位置へと移動するカバー２の移動と共に、上方へと移動する引掛部３１１ａがこの空間３１２ｓを通過する。よって、引掛部３１１ａはカバー２が閉じ位置にあり、かつ、カセットユニット１が定位置にある際、図６に示すように開放部３１２ｂに一致する位置関係にある。これにより、被引掛部３１２ａは、カセットユニット１が定位置にある場合に、引掛部３１１ａが開放部３１２ｂの空間３１２ｓを通過することでカバー２が開き位置へと移動することを許容する。
【００３５】
カセットユニット規制手段３２は、図８及び図９に示すように、薬剤供給装置Ｍのカセットユニット１以外の部分に設けられた第１カセットユニット規制部材３２１とカセットユニット１に設けられた第２カセットユニット規制部材３２２とからなる。
【００３６】
第１カセットユニット規制部材３２１は、カバー２の開閉動作に連動するものである。
本実施形態の第１カセットユニット規制部材３２１は、軸部３２１ａ、爪部３２１ｂ、被押圧部３２１ｃを有している。軸部３２１ａは上下方向に形成されており、上端が被押圧部３２１ｃとされている。爪部３２１ｂは軸部３２１ａの下方から正面側に突出する、上向きの爪状部分である。この爪部３２１ｂの背面側には係合部３２１ｂ１が形成されている。
【００３７】
第２カセットユニット規制部材３２２は、図９に示すように、カバー２が開き位置にある際、カセットユニット１の引き出しを規制するように第１カセットユニット規制部材３２１に係合するものである。本実施形態の第２カセットユニット規制部材３２２は、カセットユニット１の背面と平行に設けられた板状体からなり、第１カセットユニット規制部材３２１の爪部３２１ｂに引っ掛けられるようになっている。
【００３８】
第１カセットユニット規制部材３２１の軸部３２１ａはばね（図示しない）により常時付勢されており、図９に示すように被押圧部３２１ｃが上方に突出した状態となっている。この被押圧部３２１ｃが、カバー２の背面側に設けられた凸部である押圧部２４に図８に示すように押圧されることにより、軸部３２１ａが下方に移動する。このように軸部３２１ａが下方に移動した状態では、爪部３２１ｂが第２カセットユニット規制部材３２２に引っ掛かっていないため、カセットユニット１が引き出し方向に移動可能となる。これにより、図８に示すように、カバー２が閉じ位置にある場合はカセットユニット１を引き出すことができる。
【００３９】
一方、図９に示すように、カバー２が開き位置にある場合は、第１カセットユニット規制部材３２１の軸部３２１ａがばねの付勢により上方位置へ復帰するため、爪部３２１ｂの係合部３２１ｂ１が第２カセットユニット規制部材３２２に当接する。第２カセットユニット規制部材３２２の正面側に爪部３２１ｂの係合部３２１ｂ１が位置するため、カセットユニット１を引き出し方向に移動させることができなくなる。このようにして、カセットユニット１を定位置で保つように、カセットユニット１の動作がカセットユニット規制手段３２により規制される。
【００４０】
以上、本実施形態の関連付け機構３は、一方の部材と他方の部材とを係合させることにより、物理的にカセットユニット１あるいはカバー２の動作を規制するものとしているが、これに限定されるものではない。例えば、カセットユニット１あるいはカバー２をモータ駆動とし、モータへの通電を制御することにより、カセットユニット１あるいはカバー２の動作を規制するものとしても良い。前記の通電制御は、例えば、カセットユニット１あるいはカバー２の位置をセンサーで感知することによってなすことができる。
【００４１】
また、物理的にカセットユニット１あるいはカバー２の動作を規制する場合であっても、本実施形態のようにカバー規制手段３１とカセットユニット規制手段３２を別個独立に設けたものではなく、リンク機構等により両者を連動させるように構成しても良い。
【００４２】
また、本実施形態では、カセットユニット１の定位置と引き出し位置との間の移動とは異なる方向である取外し方向への移動を係合により規制するカセットユニット取外し規制手段４を備えている。本実施形態では、カセットユニット１の一部であるカセット本体１０が定位置から上方へ移動することを規制している。このカセットユニット取外し規制手段４は、図４に示すものであり、薬剤供給装置Ｍのうち、カセットユニット１の左右側の各々外部から対向して、カセットユニット１（特にカセット本体１０）の上方を覆うように、張り出して形成されたものである。
【００４３】
カセットユニット１が定位置にある場合、カセットユニット１（特にカセット本体１０）の上方にカセットユニット取外し規制手段４が存在するため、本実施形態では、カセットユニット１のカセット本体１０を上方に取り外すことができず、不意にカセット本体１０が取り外され、アンダータブレットカセットが露出してしまい、薬剤供給装置Ｍの内部に異物等が混入することを防止できる。そして、カセットユニット１が引き出し位置にある場合、カセットユニット取外し規制手段４はカセットユニット１（特にカセット本体１０）の上方への移動を規制しないため、カセット本体１０を取り外して、粉塵の清掃等を容易に行うことができる。
【００４４】
また、カセット本体１０を取り外し、その外されたカセット本体１０の薬剤小分け枡１１に薬剤を手撒きすることもできるため、薬剤の供給作業を、場所が制限されることなく容易に行うことができる。そして、カセット本体１０を複数用意しておいた場合には、薬剤の供給（手撒き）作業が完了したカセット本体１０を、錠剤を払い出して空になったカセット本体１０と交換することで薬剤供給装置Ｍにおける薬剤供給を効率良く行うことができ、その後の分包作業も効率良く行える。
【符号の説明】
【００４５】
１          カセットユニット
２          カバー
３          関連付け機構
３１        カバー規制手段
３１１      第１カバー規制部材
３１１ａ    引掛部
３１２      第２カバー規制部材
３１２ａ    被引掛部
３１２ｂ    開放部
３１２ｓ    空間
３２        カセットユニット規制手段
３２１      第１カセットユニット規制部材
３２２      第２カセットユニット規制部材
Ｍ          薬剤供給装置
【図１】
0005630733.tif 000002
【図２】
0005630733.tif 000003
【図３】
0005630733.tif 000004
【図４】
0005630733.tif 000005
【図５】
0005630733.tif 000006
【図６】
0005630733.tif 000007
【図７】
0005630733.tif 000008
【図８】
0005630733.tif 000009
【図９】
0005630733.tif 000010